(57)【要約】  識別対象を正しく識別することが可能な特定装置等を提供される。特定装置１０１は、脈波を表す脈波情報と、該脈波の要因を表す要因情報との関連性を表す生体モデル情報に従い、識別対象についての脈波情報に関する該要因情報を作成する作成部１０２と、該識別対象となりうる生体の脈波を表す該脈波情報に基づき作成された該要因情報と、該生体を表す識別情報とが関連付けされたリスト情報の中から、作成部１０２が作成した該要因情報に関して所定の判定基準を満たしているあるリスト情報を特定し、特定した該あるリスト情報における該識別情報を特定する情報特定部１０３とを有する。
2019012597.tif 000002
【特許請求の範囲】
【請求項１】
脈波を表す脈波情報と、前記脈波の要因を表す要因情報との関連性を表す生体モデル情報に従い、識別対象についての脈波情報に関する前記要因情報を作成する作成手段と、
前記識別対象となりうる生体の脈波を表す前記脈波情報に基づき作成された前記要因情報と、前記生体を表す識別情報とが関連付けされたリスト情報の中から、前記作成手段が作成した前記要因情報に関して所定の判定基準を満たしているあるリスト情報を特定し、特定した前記あるリスト情報における前記識別情報を特定する情報特定手段と
を備える特定装置。
【請求項２】
前記要因情報は、血管における血流を阻害する程度を表す情報を含む
請求項１に記載の特定装置。
【請求項３】
前記要因情報は、血管を流れる血流量を表す情報を含む
請求項１または請求項２に記載の特定装置。
【請求項４】
前記要因情報は、血液の粘性を表す情報を含む
請求項１乃至請求項３のいずれかに記載の特定装置。
【請求項５】
前記リスト情報は、前記生体の前記脈波を測定する際に服用された薬の種類を表す情報を含み、
前記情報特定手段は、前記識別対象によって服用された薬の種類を表す情報、及び、前記作成手段が作成した前記要因情報に基づき前記あるリスト情報を特定する
請求項１乃至請求項４のいずれかに記載の特定装置。
【請求項６】
前記リスト情報は、前記生体の前記脈波を測定する際に摂取された水分量を表す情報を含み、
前記情報特定手段は、前記識別対象によって摂取された水分量を表す情報、及び、前記作成手段が作成した前記要因情報に基づき前記あるリスト情報を特定する
請求項１乃至請求項４のいずれかに記載の特定装置。
【請求項７】
前記リスト情報は、前記生体の前記脈波を測定する際における前記生体の動きを表す情報を含み、
前記情報特定手段は、前記識別対象の動きを表す情報、及び、前記作成手段が作成した前記要因情報に基づき前記あるリスト情報を特定する
請求項１乃至請求項４のいずれかに記載の特定装置。
【請求項８】
前記リスト情報において、前記要因情報は、前記生体に圧力が加えられている期間に測定された前記脈波情報に関して算出された情報であり、
前記識別対象に関する前記脈波情報は、前記識別対象に前記圧力が加えられている期間に測定された前記脈波情報である
請求項１乃至請求項７のいずれかに記載の特定装置。
【請求項９】
情報処理装置によって、脈波を表す脈波情報と、前記脈波の要因を表す要因情報との関連性を表す生体モデル情報に従い、識別対象についての脈波情報に関する前記要因情報を作成し、前記識別対象となりうる生体の脈波を表す前記脈波情報に基づき作成された前記要因情報と、前記生体を表す識別情報とが関連付けされたリスト情報の中から、作成された前記要因情報に関して所定の判定基準を満たしているあるリスト情報を特定し、特定した前記あるリスト情報における前記識別情報を特定する特定方法。
【請求項１０】
脈波を表す脈波情報と、前記脈波の要因を表す要因情報との関連性を表す生体モデル情報に従い、識別対象についての脈波情報に関する前記要因情報を作成する作成機能と、
前記識別対象となりうる生体の脈波を表す前記脈波情報に基づき作成された前記要因情報と、前記生体を表す識別情報とが関連付けされたリスト情報の中から、作成された前記要因情報に関して所定の判定基準を満たしているあるリスト情報を特定し、特定した前記あるリスト情報における前記識別情報を特定する情報特定機能と
をコンピュータに実現させる特定プログラムが記録された記録媒体。
【発明の詳細な説明】
【技術分野】
【０００１】
本発明は、生体に関する情報に基づき、生体を識別する装置等に関する。
【背景技術】
【０００２】
生体の脈波に関する情報は、たとえば、特許文献１乃至特許文献３に記載されている技術において用いられている。【０００３】
特許文献１には、操作者の指紋と、該操作者の脈波とに基づき、該操作者を判定する照合装置が開示されている。該照合装置は、該指紋に基づき操作者が本人であるか否かを判定する。操作者が本人であると判定された場合に、該照合装置は、脈波に基づき該操作者が生存しているか否かを判定し、生存していると判定した場合に該操作者が真正であると判定する。【０００４】
特許文献２には、血管の状態を推定する推定装置が開示されている。該推定装置は、光センサを用いて脈波を検出し、検出した脈波に対して微分処理を実行し、算出された結果に基づき該脈波に関する特徴点を算出する。該推定装置は、特徴点が出現するタイミングの差異に基づき、血管の状態を推定する。【０００５】
特許文献３には、脈波情報に基づき生体を識別する識別装置が開示されている。該識別装置は、生体にて測定された脈波が変動する際の加速度を表す加速度脈波を作成し、作成した加速度脈波における振幅に基づき生体を識別する。【０００６】
また、特許文献４には、コロトコフ音の波形データに基づき個人認証する識別装置が開示されている。特許文献５には、自装置が適正に使用されているか否かを判定する血圧計が開示されている。該血圧計は、測定対象の血圧を開始する操作が実施されたときに、該測定対象の顔と、該測定対象に装着されたカフとを撮像し、撮像された画像に基づき、該カフの位置、該顔の位置、該カフの向き、及び、該顔との向きを算出する。該血圧計は、該顔が該カフよりも高い位置にあり、かつ、該顔と該カフとが同じ向きである場合に、血圧の測定を開始する。
【先行技術文献】
【特許文献】
【０００７】
【特許文献１】特開２００４−０８９６７５号公報
【特許文献２】特開２０１１−０７２６７４号公報
【特許文献３】特開２００６−２１８０３３号公報
【特許文献４】特開２０１０−１１０３８０号公報
【特許文献５】特開２００９−２４７７３３号公報
【発明の概要】
【発明が解決しようとする課題】
【０００８】
生体にて測定される脈波は、生体ごとに異なっている。しかし、特許文献１、及び、特許文献２に開示されたいずれの装置を用いたとしても、生体を識別することはできない。この理由は、これらの装置が、いずれも、生体にて測定される脈波に基づき、生体を識別する機能を有していないからである。また、特許文献３に開示された識別装置を用いたとしても、生体を正しく識別できるとは限らない。この理由は、該識別装置において用いられている加速度脈波が、脈波に含まれているノイズの影響を受けやすいからである。また、特許文献４に開示された識別装置を用いたとしても、生体を正しく識別できるとは限らない。【０００９】
そこで、本発明の目的の１つは、識別対象を正しく識別することが可能な特定装置等を提供することである。
【課題を解決するための手段】
【００１０】
本発明の１つの態様として、特定装置は、
脈波を表す脈波情報と、前記脈波の要因を表す要因情報との関連性を表す生体モデル情報に従い、識別対象についての脈波情報に関する前記要因情報を作成する作成手段と、
前記識別対象となりうる生体の脈波を表す前記脈波情報に基づき作成された前記要因情報と、前記生体を表す識別情報とが関連付けされたリスト情報の中から、前記作成手段が作成した前記要因情報に関して所定の判定基準を満たしているあるリスト情報を特定し、特定した前記あるリスト情報における前記識別情報を特定する情報特定手段と
を備える。【００１１】
また、本発明の他の態様として、特定方法は、
情報処理装置によって、脈波を表す脈波情報と、前記脈波の要因を表す要因情報との関連性を表す生体モデル情報に従い、識別対象についての脈波情報に関する前記要因情報を作成し、前記識別対象となりうる生体の脈波を表す前記脈波情報に基づき作成された前記要因情報と、前記生体を表す識別情報とが関連付けされたリスト情報の中から、作成された前記要因情報に関して所定の判定基準を満たしているあるリスト情報を特定し、特定した前記あるリスト情報における前記識別情報を特定する。【００１２】
また、本発明の他の態様として、特定プログラムは、
脈波を表す脈波情報と、前記脈波の要因を表す要因情報との関連性を表す生体モデル情報に従い、識別対象についての脈波情報に関する前記要因情報を作成する作成機能と、
前記識別対象となりうる生体の脈波を表す前記脈波情報に基づき作成された前記要因情報と、前記生体を表す識別情報とが関連付けされたリスト情報の中から、作成された前記要因情報に関して所定の判定基準を満たしているあるリスト情報を特定し、特定した前記あるリスト情報における前記識別情報を特定する情報特定機能と
をコンピュータに実現させる。【００１３】
さらに、同目的は、係るプログラムを記録するコンピュータが読み取り可能な記録媒体によっても実現される。
【発明の効果】
【００１４】
本発明に係る特定装置等によれば、識別対象を正しく識別することができる。
【図面の簡単な説明】
【００１５】
【図１】本発明の第１の実施形態に係る特定装置が有する構成を示すブロック図である。
【図２】第１の実施形態に係る特定装置における処理の流れを示すフローチャートである。
【図３】脈波情報の一例を概念的に表す図である。
【図４】リスト情報記憶部に格納されているリスト情報の一例を概念的に表す図である。
【図５】バネマスダンパモデルの一例を概念的に表す図である。
【図６】要因情報の一例を概念的に表す図である。
【図７】本発明の第２の実施形態に係る特定装置が有する構成を示すブロック図である。
【図８】第２の実施形態に係る特定装置における処理の流れを示すフローチャートである。
【図９】生体情報の一例を概念的に表す図である。
【図１０】図１０は、本発明の第３の実施形態に係る特定装置が有する構成を示すブロック図である。
【図１１】第３の実施形態に係る特定装置における処理の流れを示すフローチャートである。
【図１２】生体における血管、及び、心臓等が概念的に示された模式図である。
【図１３】生体（または、識別対象）の脈波の一例を概念的に表す図である。
【図１４】本発明の第４の実施形態に係る特定装置が有する構成を示すブロック図である。
【図１５】第４の実施形態に係る特定装置における動作を示すフローチャートである。
【図１６】本発明の各実施形態に係る特定装置を実現可能な計算処理装置のハードウェア構成例を概略的に示すブロック図である。
【発明を実施するための形態】
【００１６】
次に、本発明を実施する実施形態について図面を参照しながら詳細に説明する。
【００１７】
＜第１の実施形態＞
図１を参照しながら、本発明の第１の実施形態に係る特定装置１０１が有する構成について詳細に説明する。図１は、本発明の第１の実施形態に係る特定装置１０１が有する構成を示すブロック図である。
【００１８】
第１の実施形態に係る特定装置１０１は、作成部１０２と、情報特定部１０３とを有する。
【００１９】
特定装置１０１は、リスト情報記憶部１５０に通信可能に接続されているとする。特定装置１０１は、リスト情報記憶部１５０を有してもよい。
【００２０】
リスト情報記憶部１５０（図４に例示）には、作成部１０２によって生体に関して作成された要因情報（要因情報１５１、要因情報１５２、及び、要因情報１５３等）と、該生体を一意に識別可能な識別子を表す識別情報とが関連付けされたリスト情報が格納されている。図４は、リスト情報記憶部１５０に格納されているリスト情報の一例を概念的に表す図である。要因情報を作成する方法については、式１乃至式３等を参照しながら後述する。
【００２１】
図４に例示されたリスト情報においては、たとえば、識別情報「Ａ」と、要因情報１５１とが関連付けされている。これは、識別情報「Ａ」が表す生体にて測定された脈波情報に基づき算出された要因情報が、要因情報１５１であることを表す。リスト情報は、さらに、異なる情報を含んでいてもよく、上述した例に限定されない。ここで、作成部１０２によって算出される要因情報について説明する。
【００２２】
要因情報は、生体の脈波を表す脈波情報に基づき、図２を参照しながら後述する処理に従い作成される情報を表す。該要因情報は、たとえば、該生体における血管の状態の変化、該血管における血液の状態の変化、血流量の変化、または、血流の状態の変化を表す情報である。要因情報は、これらの変化が推定された推定情報であってもよい。また、図４に例示されたリスト情報において、要因情報は、連続的に変化している情報として表されているが、離散的に表される情報であってもよい。要因情報が離散的に表される情報である場合に、該要因情報は、少なくとも１つのタイミングにおける状態（または、状態の変化等）を表す値である。
【００２３】
要因情報は、たとえば、血管における血流を阻害する程度を表す血管抵抗である。血管抵抗は、たとえば、毛細血管や、末梢血管等にて生じる。要因情報は、たとえば、血管を流れる血流量である。血流は、心臓から血液が拍出されること等によって生じる。要因情報は、たとえば、血液の粘性（以降、「血液粘性」と表す）である。血液粘性は、血液に含まれている赤血球量、血球の形状、及び、血漿の粘度等に応じて変化する。要因情報は、たとえば、血管の弾性を表す情報であってもよいし、心臓から拍出される血液量を表す心拍出量であってもよい。要因情報は、血管、または、血液に関する変化を表す情報であればよく、上述した例に限定されない。
【００２４】
次に、脈波情報について説明する。
【００２５】
脈波情報は、識別対象（または、生体）の脈波を表す情報である。脈波情報は、たとえば、腕や手首等の該識別対象の一部に圧力が加えられている期間に測定される脈波を表す情報（図３（Ａ）に例示）であってもよいし、外部から該識別対象に圧力が加えられていない期間に測定される脈波を表す情報（図３（Ｂ）に例示）であってもよい。あるいは、脈波情報は、生体の一部に圧力が加えられている期間に測定される脈波と、生体に圧力が加えられていない期間に測定される脈波とを、ともに、含んでいてもよい。
【００２６】
図３（Ａ）は、生体の一部に圧力が加えられている期間に測定される脈波情報の一例を概念的に表す図である。及び、図３（Ｂ）は、外部から該圧力が加えられていない期間に測定される脈波情報の一例を概念的に表す図である。図３（Ａ）、及び、図３（Ｂ）の横軸は、時間を表し、右側であるほど時間が経過することを表す。図３（Ａ）、及び、図３（Ｂ）の縦軸は、脈波の大きさを表し、原点から上下に離れるほど脈波が大きいことを表す。図３（Ａ）に示されたタイミング３１乃至タイミング３７、及び、図３（Ｂ）に示されたタイミング４１乃至タイミング４３に関しては、第４の実施形態にて後述する。
【００２７】
識別対象（または、生体）に加えられる圧力（外圧）は、必ずしも、一定でなくともよく、たとえば、時間が経過するにつれ増えてもよいし、時間が経過するにつれ減少してもよい。あるいは、該圧力は、多くの血圧計に見られるように、最高血圧を測定するまでの期間にて増加し、該最高血圧を測定された後に減少してもよい。圧力は、所定の圧力制御手順に従い制御されればよく、上述した例に限定されない。
【００２８】
次に、図２を参照しながら、本発明の第１の実施形態に係る特定装置１０１における処理について詳細に説明する。図２は、第１の実施形態に係る特定装置１０１における処理の流れを示すフローチャートである。
【００２９】
作成部１０２は、識別対象の脈波を表す脈波情報（図３に例示）を受け取る。該脈波情報は、たとえば、ある期間における、該識別対象の脈波を表す情報である。作成部１０２は、複数タイミングにおける、識別対象（または、生体）の状態間の関連性がパラメタを用いて表された生体モデル情報（式１及び式２を参照しながら後述する）に従い、該脈波情報に適合しているパラメタを表す要因情報を作成する（ステップＳ１０１）。
【００３０】
情報特定部１０３は、リスト情報記憶部１５０に格納されているリスト情報（図４に例示）のうち、リスト情報における要因情報と、作成部１０２が作成した要因情報とが所定の判定基準（後述する）を満たしているリスト情報を特定する（ステップＳ１０２）。情報特定部１０３は、特定したリスト情報（図４に例示）に含まれている識別子を表す識別情報を特定する（ステップＳ１０３）。
【００３１】
式１、及び、式２等を参照しながら生体モデル情報について説明する。生体モデル情報は、複数のタイミングにおける生体（または、識別対象）の状態間の関連性を表すモデルである。生体モデル情報は、たとえば、第１タイミングにおける生体の状態と、第２タイミングにおける該生体の状態との間の関連性を表す情報である。状態は、たとえば、生体における血管内の圧力の大きさを表す血管内圧である。第１タイミングと、第２タイミングとは異なっていてもよい。以降においては、説明の便宜上、状態は、血管内圧を表すと仮定する。しかし、状態は、血管内圧に限定されず、たとえば、脈波の大きさを表す情報であってもよい。
【００３２】
生体モデル情報は、たとえば、式１、及び、式２に例示するようなモデル情報である。
【００３３】
Ｘｔ＝(xｔ，θt)＝ｇ（ｘｔ−１，θt）＋ｖｔ・・・（式１）、
ｙｔ＝ｈ（ｘｔ）＋ｗｔ・・・（式２）。
【００３４】
ただし、ｔは、タイミングを表す。ｘｔは、タイミングｔにおける生体の状態（たとえば、血管内圧）を表す。ｙｔは、生体に関して測定される測定情報（たとえば、脈波の大きさ）を表す。該測定情報は、脈圧であってもよい。測定情報は、たとえば、圧力センサ、光電センサ、光センサ、超音波センサ、音波センサ、電界センサ、磁界センサ、撮像装置、または、振動センサ等を用いて測定される。パラメタθは、タイミング（ｔ−１）における状態から、タイミングｔにおける状態を算出する処理において用いられるパラメタの値を表す。ｖｔは、処理ｇに関する誤差を表す。ｗｔは、ｈに関する誤差を表す。
【００３５】
式１に例示された処理ｇは、たとえば、式３に例示された微分方程式を、変数ｘに関して解く処理を、概念的に表す。
2019012597.tif 000003
【００３６】
ただし、ｍは、血流量を表す。ｋは、血管抵抗を表す。ｃは、血液粘性を表す。Ｆは、血管に対して加えられる力を表す。力Ｆは、たとえば、心臓が拍動することによって生じる力を表している。心臓が拍動するのに応じて血液が心臓から拍出され、脈波が拍出された血液によって力Ｆの要因が生じる。心臓が拍動する力がインパルス入力であると仮定した場合に、脈波が該インパルス入力に応じたインパルス応答を表していると考えることもできる。ｘは、血管内圧を表し、式１における状態ｘ（たとえば、ｘｔ、ｘｔ−１等）に対応している。
【００３７】
また、式３に例示された微分方程式は、図５に例示されているバネマスダンパモデルにおける物体ｍの動きを表していると考えることもできる。図５は、バネマスダンパモデルの一例を概念的に表す図である。
【００３８】
バネマスダンパモデルは、物体ｍに対する抵抗力を表すダンパ部ｃと、物体ｍが振動する動きを生み出すバネ部ｋと、該物体ｍに対して外から加えられる力Ｆを表す外力部とを含んでいる。たとえば、バネマスダンパモデルにて表されている物体ｍに対して外力Ｆが上向きに加えられるのに応じて、該物体ｍは、上向きに移動する。該物体ｍが上向きに移動した場合に、バネ部ｋの長さは自然長よりも短くなる。この結果、物体ｍには、バネ部ｋによって下向きの力が働く。また、物体ｍには、ダンパ部ｃによって物体ｍが移動する向きとは反対向きの抵抗力が生じる。物体ｍは、バネ部ｋによって加えられる下向きの力によって、やがて、下向きに移動を開始する。物体ｍが下向きに移動するにつれ、バネ部ｋの長さは自然長よりも長くなる。この場合に、バネ部ｋは、物体ｍに、上向きの力を加える。物体ｍは、やがて、該上向きの力によって、上向きに移動を開始する。物体ｍに継続的に外力Ｆが加えられなければ、物体ｍは、バネ部ｋによって縦方向に振動する。しかし、物体ｍには、ダンパ部ｃによって物体ｍが移動する方向とは逆方向に抵抗力が加えられる。したがって、物体ｍは、縦方向に振動する幅を減らしながら、縦方向に振動する。
【００３９】
式３に例示された微分方程式を、時間に関して離散化することにより、複数のタイミングにおける血管内圧（状態の一例）の関連性を表す情報（式１に例示）が得られる。離散化は、たとえば、時間を一定時間ごとに区切ることによって実施される。式１に例示された処理ｇは、当該関連性に従い、第１タイミングにおける血管内圧（状態の一例）から、第２タイミングにおける血管内圧（状態の一例）を求める処理を表し、たとえば、陽解法、または、陰解法等の処理手順に従い、式３に例示された微分方程式を解く処理を概念的に表す情報である。この場合に、式１におけるパラメタθは、式３における血流量ｍ、血液抵抗ｋ、及び、血液粘性ｃである。
【００４０】
また、式２に例示された処理ｈは、微分方程式（式３）の解（たとえば、タイミングｔにおける血管内圧）と、測定情報（たとえば、脈波の大きさ）との関連性を表す情報である。
【００４１】
図２に示されたステップＳ１０１において、作成部１０２は、たとえば、式１、及び、式２に示す処理に従い算出された情報（ｙｔ）と、実際に測定された測定情報との誤差を小さくするよう、データ同化処理等の手法に従いパラメタθの値を、各タイミングに関して求めるモデル推定処理に従い算出する。要因情報は、たとえば、当該モデル推定処理に従い算出されたパラメタのうち、少なくともいずれか１つのパラメタである。または、作成部１０２は、最小二乗法等の手法に従い、パラメタθの値を推定してもよい。したがって、作成部１０２が当該パラメタθの値を推定する処理は、脈波情報が表す脈波に関する要因情報を作成する処理であるということもできる。図４に例示されたリスト情報における要因情報は、たとえば、パラメタθの１つに関して、各タイミングにて算出された値を連続的に接続することによって作成される。
【００４２】
上述したような処理に従い、作成部１０２は、たとえば、図６に例示されている要因情報を作成する。図６は、要因情報の一例を概念的に表す図である。図６の横軸は、時間を表し、右側であるほど時間が経過することを表す。図６の縦軸は、要因情報が表す値を表し、上側であるほど要因情報の値が大きいことを表す。
【００４３】
図６には、要因情報として、血流量を表す血流量情報（曲線１６２）、血管抵抗を表す血管抵抗情報（曲線１６０）、及び、血液粘性を表す血液粘性情報（曲線１６１）が例示されている。血流量情報、血管抵抗情報、及び、血液粘性情報は、脈波情報に基づき、式１、及び、式２に示された処理に従い算出されるパラメタθの大きさを表す情報である。脈波情報（図３に例示）が表す脈波が、時間が経過するのに応じて変化した場合に、要因情報（図６に例示）の値も変化している。
【００４４】
また、血管内圧を表すモデル情報は、式３に記載された微分方程式に限定されない。たとえば、脈波情報（図３に例示）において、駆出波に応じた反射波が複数測定されている場合に、モデル情報は、図５に例示されているバネマスダンパモデルが直列に接続されているモデルが表された微分方程式であってもよい。
【００４５】
次に、所定の判定基準について説明する。所定の判定基準は、少なくとも１つ以上のタイミングに関して算出される要因情報（図６に例示）に関する基準であればよい。所定の判定基準は、２つの情報が類似しているか（または、一致しているか）否かを判定する基準を表す情報であり、たとえば、該２つの情報に関する類似度が所定の閾値（ただし、閾値は正の値である）よりも大きいという条件である。２つの情報が類似している程度が大きいほど、該類似度は、大きいとする。また、２つの情報が類似している程度が小さいほど、該類似度は０に近付くとする。情報の間の類似度を算出する方法は、様々な方法が知られているので、類似度を算出する方法に関する説明を省略する。
【００４６】
所定の判定基準は、たとえば、２つの情報間の距離に基づく基準であってもよい。２つの情報が類似している程度が大きいほど、該距離は０に近付くとする。２つの情報が類似している程度が小さいほど、該距離は大きいとする。この場合に、所定の判定基準は、たとえば、該２つの環境情報に関する距離が閾値よりも小さいという基準である。所定の判定基準は、上述した例に限定されない。
【００４７】
生体モデル情報（式１、式２に例示）は、上述した例に限定されず、たとえば、多項式、指数関数、対数関数等の所定の関数であってもよい。
【００４８】
次に、本発明の第１の実施形態に係る特定装置１０１に関する効果について説明する。
【００４９】
第１の実施形態に係る特定装置１０１によれば、識別対象を正しく識別することができる。この理由は、特定装置１０１が、生体モデル情報に基づき、脈波が生じる要因を解析するからである。
【００５０】
また、第４の実施形態にて後述するように、所定の圧力制御手順に従い制御されている圧力が加えられている期間において測定される脈波を用いることによって、識別対象を、さらに、正しく識別することができる。この理由は、血管の弾性、及び、血管径が生体ごとに異なっており、圧力が加えられている期間における識別対象（生体）の脈波を用いることによって、該弾性、または、血管径等の影響を含む脈波が測定されるからである。また、第１の実施形態に係る特定装置１０１によれば、生体に関する、さらに多くの情報に基づき生体を識別するので、一層頑強な認証システムを構築することができる。尚、所定の圧力制御手順に従い制御された圧力の場合には、第４の実施形態にて後述するように、脈波情報そのものを要因情報として用いてもよい。
【００５１】
＜第２の実施形態＞
次に、上述した第１の実施形態を基本とする本発明の第２の実施形態について説明する。
【００５２】
図７を参照しながら、本発明の第２の実施形態に係る特定装置２０１が有する構成について詳細に説明する。図７は、本発明の第２の実施形態に係る特定装置２０１が有する構成を示すブロック図である。
【００５３】
第２の実施形態に係る特定装置２０１は、作成部１０２と、情報特定部２０３と、フィルタ処理部２０２とを有する。
【００５４】
特定装置２０１は、表示部２１３に接続されていてもよい。特定装置２０１は、脈波測定部２１１、環境情報取得部２１２、リスト情報記憶部１５０、及び、生体情報記憶部２１４と通信可能に接続されている。または、特定装置２０１は、脈波測定部２１１、環境情報取得部２１２、リスト情報記憶部１５０、及び、生体情報記憶部２１４を有してもよい。
【００５５】
脈波測定部２１１は、生体（または、識別対象）の脈波を測定し、測定した脈波を表す脈波情報を作成する。脈波測定部２１１は、たとえば、加速度センサ、圧力センサ、光電センサ、光学式センサ、または、ＲＧＢ（Ｒｅｄ、Ｇｒｅｅｎ、Ｂｌｕｅ）カメラ等を用いて実現される。
【００５６】
リスト情報記憶部１５０は、図４を参照しながら上述したようなリスト情報が格納されている。
【００５７】
生体情報記憶部２１４には、たとえば、図９に例示された生体情報が格納されている。図９は、生体情報の一例を概念的に表す図である。
【００５８】
生体情報は、生体の脈波に関する情報を表す。図９に例示された生体情報においては、識別子を表す識別情報と、測定日時と、水分情報と、加圧の有無を表す加圧情報と、心拍数と、最高血圧と、最低血圧と、服薬情報等とが関連付けされている。識別情報は、該生体を識別可能な識別子を表す情報である。測定日時は、該生体の脈波が測定された日時である。水分情報は、脈波情報を測定した測定タイミング以前であって、該測定タイミングから所定の時間以内に、生体が摂取した水分量を表す情報である。加圧情報は、該生体の脈波が測定されている期間に、所定の圧力制御手順に従い該生体に圧力を加えられたかを表す情報である。心拍数は、該測定タイミング付近における該生体の心拍数である。最高血圧は、該測定タイミング付近における該生体の最高血圧である。最低血圧は、該測定タイミング付近における該生体の最低血圧である。服薬情報は、脈波情報が測定された測定タイミング以前であって、該測定タイミングから所定の時間以内に、生体が服用した薬の種類を表す情報である。したがって、生体情報は、該生体の脈波に対して影響を及ぼす要因を表す情報を含む情報である。
【００５９】
図９に例示された生体情報は、以下の情報１乃至情報８に示された情報が関連付けされた生体情報を含む。
【００６０】
（情報１）識別情報「Ｂ」、
（情報２）測定日時「２０１７／３／３  １０：１２」、
（情報３）水分情報「１００」、
（情報４）加圧情報「なし」、
（情報５）心拍数「６３」、
（情報６）最高血圧「１２０」、
（情報７）最低血圧「７０」、
（情報８）服薬情報「ＭＢ」。
【００６１】
該生体情報は、識別情報「Ｂ」が表す生体に関して、日時「２０１７／３／３  １０：１２」に、該生体に対して圧力が加えられていない期間に脈波が測定されたことを表す。また、該生体情報は、脈波が測定される際に、該生体が、「１００」が示す水分量を摂取し、さらに、「ＭＢ」が表す薬を服用したことを表す。さらに、該生体情報は、該脈波が測定されたときに、該生体の心拍数が「６３」であり、該生体の最高血圧が「１２０」であり、該生体の最低血圧が「７０」であることを表す。
【００６２】
生体情報は、上述した情報１乃至情報８とは異なる情報（たとえば、身長、体重、病歴、または、遺伝子）を含んでいてもよい。生体情報は、たとえば、該生体に関する医師の診断が記載されているカルテ情報、または、該生体が罹患した病気の履歴を表す病歴情報を含んでいてもよい。また、生体情報は、情報１乃至情報８に例示された情報のすべてを、必ずしも含んでいる必要はない。生体情報は、上述した例に限定されない。
【００６３】
脈波測定部２１１は、識別対象（または、生体）の脈波を測定し、測定した脈波を表す脈波情報を作成する。脈波測定部２１１は、作成した脈波情報をフィルタ処理部２０２に入力する。
【００６４】
また、環境情報取得部２１２は、脈波測定部２１１が該識別対象の脈波を測定している期間において、該識別対象に関する状態、または、該識別対象周囲における環境を測定する。環境情報取得部２１２は、たとえば、該識別対象に装着された加速度センサ、該識別周囲（または、該識別対象）に設置されている集音装置、該生体を撮像している撮像装置、または、該識別対象周囲に設置されている気圧センサ（または、温度計）等によって実現することができる。環境情報取得部２１２は、識別対象に装着されているジャイロセンサであってもよい。環境情報取得部２１２は、たとえば、集音装置を用いて実現されている場合に、脈波が測定されている識別対象周囲における音声、及び、音等を集音する。環境情報取得部２１２は、たとえば、加速度センサを用いて実現されている場合に、識別対象の動きに応じて該識別対象に生じる加速度を測定する。環境情報取得部２１２は、たとえば、気圧センサを用いて実現されている場合に、識別対象周囲における気圧を測定する。
【００６５】
環境情報は、識別対象（または、生体）の脈波に影響を与える可能性がある情報である。たとえば、識別対象が動いている期間に測定される脈波と、該識別対象が静止している期間に測定される脈波とは、同じ波形を有する脈波であるとは限らない。また、識別対象が特定の人（たとえば、医者）と一緒にいる期間に測定される脈波は、識別対象が一人である期間に測定される脈波とは、同じ波形を有する脈波であるとは限らない。
【００６６】
環境情報取得部２１２は、取得した情報を表す環境情報を作成し、作成した該環境情報を情報特定部２０３に入力する。または、環境情報取得部２１２は、脈波測定部２１１によって作成された脈波情報から、該環境情報による影響を除去する処理を実行してもよい。
【００６７】
図８を参照しながら、本発明の第２の実施形態に係る特定装置２０１における処理について詳細に説明する。図８は、第２の実施形態に係る特定装置２０１における処理の流れを示すフローチャートである。
【００６８】
フィルタ処理部２０２は、識別対象の脈波を表す脈波情報を受け取る。フィルタ処理部２０２は、該脈波情報がノイズ（たとえば、該生体の不整脈）を表す情報を含んでいるか否かを判定する（ステップＳ２０１）。該脈波情報がノイズを含んでいないとフィルタ処理部２０２が判定した場合には（ステップＳ２０１にてＮＯ）、ステップＳ２０２に示された処理は実行されない。この場合には、フィルタ処理部２０２は、該脈波情報を作成部１０２に入力する。フィルタ処理部２０２は、脈波情報がノイズを含んでいると判定した場合に（ステップＳ２０１にてＹＥＳ）、脈波情報からノイズを除去する（ステップＳ２０２）。フィルタ処理部２０２は、さらに、該ノイズを表す情報と、ノイズが検知された識別対象に関する識別子を表す識別情報とが関連付けされた情報を生体情報記憶部２１４に格納してもよい。あるいは、フィルタ処理部２０２は、ノイズが検知されたことを表す情報を表示部２１３に表示してもよい。
【００６９】
作成部１０２は、該脈波情報を受け取り、図２を参照しながら説明した処理と同様な処理を実行することによって、該脈波情報に関する要因情報（図６に例示）を作成する（ステップＳ１０１）。
【００７０】
情報特定部２０３は、作成部１０２が作成した要因情報（図６に例示）を受け取る。情報特定部２０３は、環境情報取得部２１２によって作成された環境情報、及び、生体情報記憶部２１４に格納されている生体情報のうち、少なくともいずれかを取得する。
【００７１】
情報特定部２０３が該環境情報を取得する例を参照しながら、本実施形態に係る特定装置２０１において実行される処理について説明する。リスト情報記憶部１５０には、生体を表す識別子に関する識別情報と、該生体に関する脈波情報に基づき算出された要因情報と、該脈波情報が測定された場合における環境情報とが関連付けされているとする。リスト情報記憶部１５０には、さらに、該識別情報に、該生体に関する生体情報が関連付けされていてもよい。
【００７２】
情報特定部２０３は、リスト情報記憶部１５０に格納されているリスト情報のうち、受け取った該要因情報、及び、受け取った該環境情報に関して所定の判定基準を満たしているリスト情報を特定する（ステップＳ２０３）。
【００７３】
情報特定部２０３は、ステップＳ２０３に示された処理において、たとえば、受け取った環境情報と、該リスト情報における環境情報とが、所定の判定基準を満たしている環境情報を含むリスト情報を特定する。情報特定部２０３は、さらに、受け取った要因情報と、特定した該リスト情報における要因情報とが所定の判定基準を満たしているリスト情報（以降、「特定リスト情報」と表す）を特定する（ステップＳ２０３）。情報特定部２０３は、該特定リスト情報に含まれている識別子を表す識別情報を特定する（ステップＳ２０４）。
【００７４】
情報特定部２０３は、生体情報、または、該生体情報、及び、該環境情報に基づき、特定リスト情報を特定する場合であっても、環境情報に関して上述した処理と同様な処理を実行する。情報特定部２０３は、たとえば、受け取った生体情報と、該リスト情報における生体情報とが、所定の判定基準を満たしている生体情報を含むリスト情報を特定し、さらに、特定した該リスト情報において特定リスト情報を特定する。
【００７５】
次に、本発明の第２の実施形態に係る特定装置２０１に関する効果について説明する。
【００７６】
第２の実施形態に係る特定装置２０１によれば、生体を正しく識別することができる。この理由は、第１の実施形態にて説明した理由と同様である。
【００７７】
さらに、第２の実施形態に係る特定装置２０１によれば、より正確に個体を特定することができる。この理由は、生体の状態や、該生体周囲における環境等に応じて該生体の脈波が変動する状況であっても、該状況、または、該環境に応じたデータに基づき生体を識別するからである。
【００７８】
上述した例において、情報特定部２０３は、環境情報取得部２１２が作成した環境情報に基づき、個体を特定する。環境情報に応じて脈波が変化する程度（利用者が運動している場合に、血流量が増大する程度（または、脈波が変化する程度）等）が、あらかじめ知られている場合に、情報特定部２０３は、当該環境情報に基づき、脈波測定部２１１によって測定された脈波を調整してもよい。同様に、測定情報に応じて血流量が増大する程度（たとえば、気圧が変化した場合に、血流量が増大する程度（または、脈波が変化する程度）等）が、あらかじめ知られている場合には、情報特定部２０３は、当該環境情報に基づき、脈波測定部２１１によって測定された脈波を調整してもよい。
【００７９】
＜第３の実施形態＞
次に、本発明の第３の実施形態について説明する。
【００８０】
図１０を参照しながら、本発明の第３の実施形態に係る特定装置３０１が有する構成について詳細に説明する。図１０は、本発明の第３の実施形態に係る特定装置３０１が有する構成を示すブロック図である。
【００８１】
第３の実施形態に係る特定装置３０１は、波特定部３０２と、時間差算出部３０３と、情報特定部３０４とを有する。
【００８２】
特定装置３０１は、リスト情報記憶部３０５に通信可能に接続されている。特定装置３０１は、リスト情報記憶部３０５を有してもよい。
【００８３】
リスト情報記憶部３０５には、生体を表す識別子に関する識別情報と、該生体にて測定された脈波に含まれている複数の波の間の時間差を表す時間差情報とが関連付けされたリスト情報が格納されている。該脈波に含まれている波は、たとえば、駆出波と、該駆出波に応じた反射波である。図１２を参照しながら、駆出波と、反射波とについて説明する。図１２は、生体における血管、及び、心臓等が概念的に示された模式図である。
【００８４】
心臓３５１は、生体において拍動している。心臓３５１内の血液は、心臓３５１の拍動に応じて、該心臓３５１に接続している動脈に拍出される。動脈は、分岐（分岐３５２、分岐３５３、分岐３５４等）を繰り返しながら、該生体内の各器官に接続している。心臓３５１から拍出された血液は、動脈を通りながら、やがて各器官に到達する。血液が動脈における分岐（以降、「血管分岐」と表す）を通過する際等に血管壁にぶつかることによって、血液の流れに乱れが生じる。血管内圧は、心臓３５１から血液が拍出される、または、血液が血管壁（または、分岐）にぶつかるのに応じて変化している。
【００８５】
血管壁は、通常、やわらかい。したがって、血管内圧が変化するのに応じて、血管（この場合、動脈）壁は、変形する。脈波情報（図３に例示）は、たとえば、生体における血管壁の変形に応じて生じた皮膚表面の振動が測定されることにより作成される。図１３を参照しながら脈波について説明する。図１３は、生体（または、識別対象）の脈波の一例を概念的に表す図である。図１３における横軸は、時間を表し、右側であるほど、時間が経過することを表す。図１３における縦軸は、脈波の大きさを表し、原点から離れるほど該大きさが大きいことを表す。曲線３６１は、心臓３５１が血液を１回拍出することによって測定される脈波を概念的に表している。
【００８６】
タイミング３６２からタイミング３６４までの期間における波は、心臓３５１から拍出された血液により形成された振動が測定された波である。タイミング３６２からタイミング３６４までの期間における波は、「駆出波」と呼ばれている。タイミング３６４かタイミング３６６までの期間における波は、たとえば、血管分岐にて血流が乱れることによって生じた血管内圧の変化が測定された波である。タイミング３６４からタイミング３６６までの期間における波は、「反射波」と呼ばれている。
【００８７】
血管分岐は、たとえば、腹部大動脈や、総腸骨動脈等に存在している。血管分岐において生じた血管内圧の変化は、血液を介して波として測定部位に到達し、到達した波が反射波として測定される。したがって、駆出波が生じるタイミング（または、駆出波の振幅が最大となるタイミング３６３等）と、該駆出波に応じて生じた反射波が生じるタイミング（または、該反射波の振幅が最大となるタイミング３６５等）とは、異なっている。また、脈波において、駆出波に応じて生じる反射波は、１つであるとは限らず、複数である場合もある。したがって、駆出波と反射波との間の時間差は、たとえば、生体における血管の硬さや、心臓３５１から血管分岐までの距離、複数の血管分岐間の距離等に応じて決定される。血管の硬さや、これらの距離は、一般に、異なる生体間において異なっている。したがって、測定される脈波も、生体ごとに異なっている。
【００８８】
次に、図１１を参照しながら、本発明の第３の実施形態に係る特定装置３０１における処理について詳細に説明する。図１１は、第３の実施形態に係る特定装置３０１における処理の流れを示すフローチャートである。
【００８９】
波特定部３０２は、識別対象の脈波を表す脈波情報（図１３に例示）を受け取る。説明の便宜上、脈波情報は、心臓３５１が血液を１回拍出することによって測定される脈波であるとする。すなわち、脈波情報は、１つの駆出波と、１つ以上の反射波とを含んでいるとする。脈波情報が、心臓３５１が血液を複数回拍出することによって測定される脈波を表す場合に、波特定部３０２は、拍出ごとに測定された脈波に対して、ステップＳ３０１乃至ステップＳ３０４を参照しながら後述する処理を実行する。
【００９０】
脈波情報は、たとえば、所定の関数（たとえば、フーリエ級数）を用いて表されてもよいし、脈波の大きさの時間的な変化によって表されてもよい。また、脈波情報は、脈波の特徴を表す特徴量を表されていてもよい。特徴量は、たとえば、変曲点が生じるタイミング、該タイミングにおける脈波の大きさ、脈波の変化が最小（または、最大）であるタイミング等である。脈波情報は、上述した例に限定されない。
【００９１】
波特定部３０２は、受け取った脈波情報（図１３に例示）が表す脈波において、駆出波と、反射波とを特定する（ステップＳ３０１）。波特定部３０２は、たとえば、脈波情報が表す脈波が減少し始める（すなわち、脈波が極大である）複数のタイミングを特定する。波特定部３０２は、各タイミングにおける振幅の大きさを特定し、特定した大きさが最も大きく、かつ最初に現れるタイミング３６３における波を駆出波として特定する。波特定部３０２は、特定したタイミングのうち、駆出波として特定したタイミング３６３とは異なるタイミング３６５における波を反射波として特定する。
【００９２】
波特定部３０２は、たとえば、脈波情報（図１３に例示）が表す脈波が増え始めるタイミング（タイミング３６２、タイミング３６４等）を求めることによって、該複数のタイミングを特定してもよい。または、波特定部３０２は、脈波の変曲点を求めることによって、該複数のタイミングを特定してもよい。複数のタイミングを特定する処理は、上述した例に限定されない。
【００９３】
以降においては、説明の便宜上、波特定部３０２は、脈波情報が表す脈波において、駆出波と、１つの反射波とを特定したとする。
【００９４】
時間差算出部３０３は、特定された該駆出波と、該反射波との間の時間差を算出し（ステップＳ３０２）、算出した該時間差を表す時間差情報を作成する。時間差算出部３０３は、たとえば、波特定部３０２が特定したタイミング（たとえば、図１３におけるタイミング３６３、及び、タイミング３６５）の差異を算出することによって、該時間差を算出する。または、時間差算出部３０３は、波の特徴を表す特徴量に基づき、該差異を算出してもよい。該特徴量は、たとえば、波が最大となるタイミング、該波が増え始めるタイミング、または、該波の変曲点におけるタイミング等である。該特徴量は、上述した例に限定されない。
【００９５】
情報特定部３０４は、リスト情報（図１０に例示）における時間差と、時間差算出部３０３によって算出された時間差とが所定の判定基準を満たしている時間差を特定する（ステップＳ３０３）。情報特定部３０４は、特定した該時間差を含むリスト情報における識別子を表す識別情報を特定する（ステップＳ３０４）。所定の判定基準は、たとえば、該２つの時間差間の差が所定の閾値よりも小さいという条件である。所定の判定基準は、たとえば、該２つの時間差間の比が所定の範囲内（たとえば、０．９５から１．０５までの範囲であるという条件であってもよい。所定の判定基準は、上述した例に限定されず、当該２つの時間差が同じ（または、類似している）ことを表す条件であればよい。
【００９６】
たとえば、時間差算出部３０３によって算出された時間差が「１．５２」である場合に、情報特定部３０４は、リスト情報（図１０に例示）における時間差と、算出された時間差「１．５２」とが所定の判定基準を満たしている時間差「１．５２」（図１０におけるリスト情報の１行目）を特定する。情報特定部３０４は、特定した時間差「１．５２」に関連付けされた識別情報「Ａ」を特定する。
【００９７】
次に、本発明の第３の実施形態に係る特定装置３０１に関する効果について説明する。
【００９８】
第３の実施形態に係る特定装置３０１によれば、生体を正しく識別することができる。この理由は、駆出波と、該駆出波に応じた反射波との間の時間差が、心臓３５１から血管分岐までの長さ等に応じて決まっており、特定装置３０１が、当該時間差に基づき識別対象を識別するからである。心臓３５１から血管分岐までの長さは、一般に、生体ごとに異なっており、偽装することが困難な情報である。特定装置３０１は、偽装することが困難な情報に基づき生体を識別するので、なりすましに対する抵抗力が強い認証システムを構築する基礎である情報を提供することができる。
【００９９】
上述した例において、特定装置３０１は、駆出波と、反射波と間の時間差に基づき識別対象を識別したが、複数の反射波の間の時間差に基づき識別対象を識別してもよい。たとえば、脈波が複数の反射波を含んでいる場合に、特定装置３０１は、振幅の大きさ順に応じて、反射波を識別してもよい。たとえば、脈波情報が表す脈波が、第１反射波乃至第５反射波を含んでいる場合に、特定装置３０１は、たとえば、第２反射波と、第３反射波との間の時間差に基づき、図１１を参照しながら説明した処理と同様な処理を実行することによって、識別対象を識別する。駆出波と、反射波との関係に関して上述したように、複数の反射波の間における時間差は、たとえば、複数の血管分岐間の距離等によって決定する。これらの距離が偽装することが困難な情報であるので、特定装置３０１によれば、なりすましに対する抵抗力が強い認証システムを構築する基礎である情報を提供することができる。
【０１００】
また、特定装置３０１が、複数の時間差（たとえば、駆出波及び反射波の間の時間差と、第１反射波及び第２反射波の間の時間差等）に基づき生体を識別することによって、さらに、なりすましに対する抵抗力が強い認証システムを構築する基礎である情報を提供することができる。
【０１０１】
＜第４の実施形態＞
次に、上述した各実施形態を基本とする本発明の第４の実施形態について説明する。
【０１０２】
図１４を参照しながら、本発明の第４の実施形態に係る特定装置４０１が有する構成について詳細に説明する。図１４は、本発明の第４の実施形態に係る特定装置４０１が有する構成を示すブロック図である。
【０１０３】
第４の実施形態に係る特定装置４０１は、脈波測定部４１０と、カフ４１１と、情報特定部４０３とを有する。特定装置４０１は、作成部４０２を有してもよい。
【０１０４】
特定装置４０１は、リスト情報記憶部４１２と通信可能に接続されている。特定装置４０１は、リスト情報記憶部４１２を有してもよい。
【０１０５】
制御部４０４は、脈波測定部４１０と、ポンプ４０５とを制御している。
【０１０６】
カフ４１１は、内部に、空気等の気体、または、水等の液体を蓄えることができる。カフ４１１は、ポンプ４０５に接続される。カフ４１１は、生体のうち、少なくとも一部の部位に装着される。ポンプ４０５は、カフ４１１に気体（または、液体）を注入する、または、カフ４１１に蓄えられている気体（または、液体）をカフ４１１から排出する。制御部４０４は、所定の圧力制御手順に従い、ポンプ４０５の動作を制御する。
【０１０７】
所定の圧力制御手順は、たとえば、カフ４１１の内圧が所定の圧力になるまでカフ４１１に気体（または、液体）を注入するようポンプ４０５を制御し、該内圧が所定の圧力以上になった場合に、カフ４１１に蓄えられている気体（または、液体）を徐々に排出するようポンプ４０５を制御する手順である。所定の圧力制御手順は、たとえば、脈波を検知できる圧力（すなわち、生体の最高血圧以下である圧力）範囲にて、カフ４１１の内圧を制御するような制御手順であってもよい。所定の圧力制御手順は、たとえば、当該圧力範囲にて、周期的（または、非周期的）に、カフ４１１の内圧を変えるよう、ポンプ４０５を制御する手順であってもよい。所定の圧力制御手順は、たとえば、所定の圧力範囲にて、周期的（または、非周期的）に、カフ４１１の内圧を変えるよう、ポンプ４０５を制御する手順であってもよい。また、所定の圧力範囲は、生体の最高血圧以上の圧力を含んでいてもよいし、生体に圧力を加えない範囲の圧力を含んでいてもよい。所定の圧力制御手順は、一定の圧力を加えるようポンプ４０５を制御する手順であってもよい。すなわち、所定の圧力制御手順は、上述した例に限定されない。
【０１０８】
また、カフ４１１によって生体の部位に圧力が加えられている期間に測定される脈波は、該圧力の大きさに応じて変化する。たとえば、該圧力が加えられている期間に測定される脈波（図３（Ａ）に例示）は、該圧力が加えられていない期間に測定される脈波（図３（Ｂ）に例示）とは異なっている。
【０１０９】
図３（Ａ）に例示された脈波は、所定の圧力制御手順において、徐々にカフ４１１の内圧が高くなるようポンプ４０５を制御している期間に、脈波測定部４１０によって測定された脈波である。脈波を参照すると、時間が経過するにつれて、脈波の振幅は、大きくなっていく。これは、カフ４１１によって部位に加えられる圧力が高くなるのに応じて血管に外圧が加わり、該外圧が加わるのに応じて血管内圧が高くなっていることを表す。図３（Ｂ）に例示された脈波を参照すると、脈波の振幅は、一定（または、略一定）であることがわかる。これは、血管に外圧が加わっていないことを表す。
【０１１０】
また、図３（Ａ）に例示された脈波を参照すると、脈波の波形は、血管に外圧が加えられるのに応じて（すなわち、時間の経過につれ）、変化していることがわかる。脈波における第１波（タイミング３１からタイミング３３まで）と、第２波（タイミング３３からタイミング３７まで）とを比較すると、第１波において、タイミング３２からタイミング３３までの期間に脈波の大きさは低下しているのに対し、第２波において、タイミング３４からタイミング３７までの期間に脈波の大きさが増えている期間（タイミング３５からタイミング３６までの期間）がある。これらの期間は、ともに、心臓が血液を血管に拍出した後から、次に血液を拍出するまでの期間を表す。したがって、該第１波と、該第２波との間の波形の違いは、たとえば、血管の硬さ等に応じて生じた違いであると考えられる。
【０１１１】
これに対して、図３（Ｂ）に例示された脈波を参照すると、脈波の波形は、第１波（タイミング４１からタイミング４２まで）であっても、第２波（タイミング４２からタイミング４３まで）であっても、ほとんど変化していないことがわかる。これは、血管に外圧が加えられていない期間において、脈波は、一定（または、略一定）の波形にて測定されることを表す。
【０１１２】
また、リスト情報記憶部４１２には、個体（または、識別対象）を識別する識別子を表す識別情報と、該個体に関して測定された脈波に関する情報とが関連付けされたリスト情報が格納されている。該脈波に関する情報は、所定の圧力制御手順に従いカフ４１１の内圧が制御されている期間に、脈波測定部４１０によって測定された脈波に関する情報である。説明の便宜上、リスト情報における脈波情報は、図１５を参照しながら後述するような処理より前に、あらかじめ測定された脈波に関する情報であるとする。ただし、脈波に関する情報に基づき個体が特定されなかった場合に、個体に関する識別子を表す識別情報と、該脈波に関する情報とが関連付けされたリスト情報が、リスト情報記憶部４１２に格納されてもよい。また、脈波に関する情報は、第１の実施形態にて上述したような要因情報であってもよいし、第３の実施形態にて上述したような、駆出波と、反射波との時間差であってもよいし、環境情報や、生体情報等を含む情報であってもよい。リスト情報は、上述した例に限定されない。
【０１１３】
また、特定装置４０１は、利用者の血圧（最高血圧、及び、最低血圧）を測定する血圧測定部（不図示）を有してもよい。この場合に、特定装置４０１によれば、１回の処理にて、該利用者の血圧を測定し、さらに、該利用者を特定することができる。
【０１１４】
作成部４０２は、第１の実施形態に係る作成部１０２（図１）、第２の実施形態に係る作成部１０２（図７）、または、第３の実施形態に係る波特定部３０２、及び、時間差算出部３０３（図１０）が有する機能と同様な機能によって実現することができる。情報特定部４０３は、第１の実施形態に係る情報特定部１０３（図１）、第２の実施形態に係る情報特定部２０３（図７）、または、第３の実施形態に係る情報特定部３０４（図１０）が有する機能と同様な機能によって実現することができる。
【０１１５】
脈波に関する情報が要因情報である場合に、作成部４０２は、ステップＳ４０２（図１５を参照しながら後述する）と、ステップＳ４０３との間に、第１の実施形態（または、第２の実施形態）にて上述した処理と同様な処理を実行することによって、要因情報を作成する。ステップＳ４０４にて、情報特定部４０３は、第１の実施形態（または、第２の実施形態）にて上述した処理と同様な処理を実行することによって識別情報を特定する。脈波に関する情報が時間差を表す時間差情報である場合には、第３の実施形態にて上述したような処理（図１１）に従い、脈波情報に基づき識別情報が特定される。
【０１１６】
以降においては、説明の便宜上、脈波に関する情報は、脈波情報であるとする。
【０１１７】
次に、図１５を参照しながら、本発明の第４の実施形態に係る特定装置４０１における動作について詳細に説明する。図１５は、第４の実施形態に係る特定装置４０１における動作を示すフローチャートである。
【０１１８】
制御部４０４は、生体の脈波の測定と、所定の圧力制御手順に従った圧力の制御とを開始する（ステップＳ４０１）。制御部４０４は、生体（または、識別対象）の脈波を測定するよう脈波測定部４１０を制御し、さらに、所定の圧力制御手順に従いカフ４１１の内圧を制御するようポンプ４０５を制御する。すなわち、制御部４０４は、所定の圧力制御手順に従いポンプ４０５を制御している期間中における生体（または、識別対象）の脈波を測定するよう脈波測定部４１０を制御する。
【０１１９】
その後、制御部４０４は、生体の脈波の測定と、所定の圧力制御手順に従った圧力の制御とを終了する（ステップＳ４０２）。
【０１２０】
次に、情報特定部４０３は、リスト情報における脈波情報と、測定された脈波を表す脈波情報とが、所定の判定基準を満たしている脈波情報を、リスト情報記憶部４１２に格納されているリスト情報から特定する（ステップＳ４０３）。情報特定部４０３は、特定した脈波情報に関するリスト情報に含まれている識別子を表す識別情報を特定する（ステップＳ４０４）。
【０１２１】
特定装置４０１は、手首に装着されるウェアラブル型の装置であってもよい。また、特定装置４０１は、顔画像に基づく認証システムや、指紋に基づく認証システムと組み合わされてもよい。または、特定装置４０１は、あらかじめ利用者が登録した合言葉に基づく認証システムと組み合わされてもよい。合言葉に基づく認証システムは、たとえば、利用者が答えを知っている質問を、該利用者に対して行い、該答えが正しいか否かに基づき、該利用者を認証するシステムを表す。合言葉は、１つの言葉であってもよいし、複数の言葉であってもよい。特定装置４０１が、合言葉に基づく認証システムと組み合わせて用いられる場合における処理の一例について具体的に説明する。
【０１２２】
利用者は、たとえば、利用者自身が答えを知っている質問を表す情報を、あらかじめ認証システムに登録する。利用者は、認証システムにて認証する場合に、特定装置４０１における脈波測定部４１０を、あらかじめ所定の部位に装着し、該認証システムの利用を開始する。脈波測定部４１０は、図１５を参照しながら説明したような処理に従い脈波の測定を開始する。特定装置４０１が利用者の脈波を測定している期間に、認証システムは、該利用者に対して、自システムに登録されている質問を表示する。利用者は、当該質問に関する答えを認証システムに入力する。認証システムが該答えを受け取った後に、脈波測定部４１０は、該脈波を測定する動作を終了する。特定装置４０１において、情報特定部４０３は、脈波測定部４１０が測定した脈波を表す脈波情報に基づき、図１５等に示された処理に従い、利用者を表す識別子を表す識別情報を特定する。認証システムは、受け取った答えが正しいか否かを判定する。認証システムは、該答えが正しく、かつ、特定装置４０１が識別情報を特定した場合に、該利用者が真の利用者であると判定する。認証システムは、該答えが誤りであるか、または、認証システムが識別情報を特定できなかった場合に、該利用者が偽の利用者であると判定する。
【０１２３】
合言葉に基づく認証システムと、特定装置４０１とが組み合わされたシステムによれば、より、強固に認証を行うことができる。この理由について説明する。利用者は、合言葉を知っている場合に平常心を保つことができる。この場合には、該利用者の血管は、認証システムからの質問に応じて収縮することがない。したがって、特定装置４０１が、該利用者の脈波を測定した場合に、システムに登録されている脈波と同様な波形を有する脈波を測定するので、認証システムは、該利用者が真の利用者であると判定する。これに対して、利用者は、合言葉を知らない場合に平常心を保つことができないことが多い。この場合には、該利用者の血管は、認証システムが行う質問に応じて収縮する。したがって、特定装置４０１が該利用者の脈波を測定した場合に、システムに登録されている脈波と同様な波形を有する脈波が測定される可能性は低い。上述した各実施形態に説明したように、利用者にて測定される脈波は、真の利用者にて測定される脈波と異なっていることに加え、さらに、利用者（この場合に、偽の利用者）自身の脈波とも異なっている。この場合に、特定装置４０１は、真の利用者の識別子を表す識別情報を特定することもなければ、偽の利用者自身の識別子を表す識別情報を特定することもない。特定装置４０１が真の利用者の識別情報を特定しないので、認証システムは、該利用者が偽の利用者であると判定する。
【０１２４】
また、うそ発見器と、特定装置４０１とが組み合わされたシステムであってもよい。この場合に、特定装置４０１は、該うそ発見器が実行する質問ごとの脈波を測定する。該システムは、特定装置４０１が識別情報を特定しなかった場合に、当該質問に対する答えがうそであると判定する。また、該システムは、特定装置４０１が識別情報を特定した場合に、当該質問に対する答えが正しいと判定する。
【０１２５】
次に、本発明の第４の実施形態に係る特定装置４０１に関する効果について説明する。
【０１２６】
第４の実施形態に係る特定装置４０１によれば、生体を正しく識別することができる。この理由は、第１の実施形態にて説明した理由、または、第３の実施形態にて説明した理由と同様である。
【０１２７】
さらに、第４の実施形態に係る特定装置４０１によれば、より強固な認証システムを構築する基礎である情報を提供することができる。この理由は、利用者の血管に外圧が加えられている期間に測定される脈波と、該血管に外圧が加えられていない期間に測定される脈波とは、波形が異なっており、特定装置４０１が、当該２つの脈波に基づき生体を識別するからである。
【０１２８】
また、所定の圧力制御手順に従い圧力を制御することによって、より一層、強固な認証システムを構築する基礎である情報を提供することができる。この理由は、該所定の圧力制御手順に従い血管に加えられる外圧の強さが変化するのに応じて、利用者にて測定される脈波の波形も変化するからである。たとえば、該所定の圧力制御手順に従い血管に加える圧力を制御した場合には、該血管の硬さを表す情報が脈波に一層顕著に現れているので、特定装置４０１によれば、より一層、強固な認証システムを構築する基礎である情報を提供することができる。
【０１２９】
（ハードウェア構成例）
上述した本発明の各実施形態に係る特定装置を、１つの計算処理装置（情報処理装置、コンピュータ）を用いて実現するハードウェア資源の構成例について説明する。但し、係る特定装置は、物理的または機能的に少なくとも２つの計算処理装置を用いて実現されてもよい。また、係る特定装置は、専用の装置として実現されてもよい。
【０１３０】
図１６は、本発明の各実施形態に係る特定装置を実現可能な計算処理装置のハードウェア構成例を概略的に示すブロック図である。計算処理装置２０は、中央処理演算装置（Ｃｅｎｔｒａｌ＿Ｐｒｏｃｅｓｓｉｎｇ＿Ｕｎｉｔ、以降「ＣＰＵ」と表す）２１、メモリ２２、ディスク２３、不揮発性記録媒体２４、及び、通信インターフェース（以降、「通信ＩＦ」と表す）２７を有する。計算処理装置２０は、入力装置２５、出力装置２６に接続可能であってもよい。計算処理装置２０は、通信ＩＦ２７を介して、他の計算処理装置、及び、通信装置と情報を送受信することができる。
【０１３１】
不揮発性記録媒体２４は、コンピュータが読み取り可能な、たとえば、コンパクトディスク（Ｃｏｍｐａｃｔ＿Ｄｉｓｃ）、デジタルバーサタイルディスク（Ｄｉｇｉｔａｌ＿Ｖｅｒｓａｔｉｌｅ＿Ｄｉｓｃ）である。また、不揮発性記録媒体２４は、ユニバーサルシリアルバスメモリ（ＵＳＢメモリ）、ソリッドステートドライブ（Ｓｏｌｉｄ＿Ｓｔａｔｅ＿Ｄｒｉｖｅ）等であってもよい。不揮発性記録媒体２４は、電源を供給しなくても係るプログラムを保持し、持ち運びを可能にする。不揮発性記録媒体２４は、上述した媒体に限定されない。また、不揮発性記録媒体２４の代わりに、通信ＩＦ２７、及び、通信ネットワークを介して係るプログラムを持ち運びしてもよい。
【０１３２】
すなわち、ＣＰＵ２１は、ディスク２３に格納されているソフトウェア・プログラム（コンピュータ・プログラム：以下、単に「プログラム」と称する）を、実行する際にメモリ２２にコピーし、演算処理を実行する。ＣＰＵ２１は、プログラム実行に必要なデータをメモリ２２から読み取る。表示が必要な場合に、ＣＰＵ２１は、出力装置２６に出力結果を表示する。外部からプログラムを入力する場合に、ＣＰＵ２１は、入力装置２５からプログラムを読み取る。ＣＰＵ２１は、上述した図１、図７、図１０に示す各部が表す機能、または、図１４に示す作成部４０２、情報特定部４０３、及び、制御部４０４が表す機能（処理）に対応するところのメモリ２２にある特定プログラム（図２、図８、図１１、または、図１５）を解釈し実行する。ＣＰＵ２１は、上述した本発明の各実施形態において説明した処理を順次実行する。
【０１３３】
すなわち、このような場合に、本発明の各実施形態は、係る特定プログラムによっても成し得ると捉えることができる。さらに、係る特定プログラムが記録されたコンピュータが読み取り可能な不揮発性の記録媒体によっても、本発明の各実施形態は成し得ると捉えることができる。
【０１３４】
以上、上述した実施形態を模範的な例として本発明を説明した。しかし、本発明は、上述した実施形態には限定されない。すなわち、本発明は、本発明のスコープ内において、当業者が理解し得る様々な態様を適用することができる。
【符号の説明】
【０１３５】
１０１    特定装置
１０２    作成部
１０３    情報特定部
１５０    リスト情報記憶部
３１  タイミング
３２  タイミング
３３  タイミング
３４  タイミング
３５  タイミング
３６  タイミング
３７  タイミング
４１  タイミング
４２  タイミング
４３  タイミング
１５１    要因情報
１５２    要因情報
１５３    要因情報
１６０    曲線
１６１    曲線
１６２    曲線
２０１    特定装置
２０２    フィルタ処理部
２０３    情報特定部
２１１    脈波測定部
２１２    環境情報取得部
２１３    表示部
２１４    生体情報記憶部
３０１    特定装置
３０２    波特定部
３０３    時間差算出部
３０４    情報特定部
３０５    リスト情報記憶部
３５１    心臓
３５２    分岐
３５３    分岐
３５４    分岐
３６１    曲線
３６２    タイミング
３６３    タイミング
３６４    タイミング
３６５    タイミング
３６６    タイミング
４０１    特定装置
４０２    作成部
４０３    情報特定部
４０４    制御部
４０５    ポンプ
４１０    脈波測定部
４１１    カフ
４１２    リスト情報記憶部
２０    計算処理装置
２１    ＣＰＵ
２２    メモリ
２３    ディスク
２４    不揮発性記録媒体
２５    入力装置
２６    出力装置
２７    通信ＩＦ
【図１】
2019012597.tif 000004
【図２】
2019012597.tif 000005
【図３】
2019012597.tif 000006
【図４】
2019012597.tif 000007
【図５】
2019012597.tif 000008
【図６】
2019012597.tif 000009
【図７】
2019012597.tif 000010
【図８】
2019012597.tif 000011
【図９】
2019012597.tif 000012
【図１０】
2019012597.tif 000013
【図１１】
2019012597.tif 000014
【図１２】
2019012597.tif 000015
【図１３】
2019012597.tif 000016
【図１４】
2019012597.tif 000017
【図１５】
2019012597.tif 000018
【図１６】
2019012597.tif 000019
【国際調査報告】
2019012597.tif 000020
2019012597.tif 000021